(57)【要約】      （修正有）【課題】落下等により衝撃が加わった際に、電池蓋の回動軸の破損を防止できる撮像装置を提供する。【解決手段】撮像装置本体から突出したグリップと、撮像装置とグリップに跨って配設された開閉自在の電池蓋１０と、撮像装置の底面に配設された底面カバー４と、電池蓋１０の回転軸の一部を撮像装置に固定するための回動軸押さえ部材と、回動軸押さえ部材の先端部と底面カバー４とによって形成される電池蓋回動軸嵌合穴２０と、電池蓋１０に対して進退可能な軸部材１３と、軸部材１３上に形成される円錐部１３ｅと、円錐部１３ｅよりも先端側に形成され、撮影光軸にと略平行な、円筒状の第一の回動軸１３ａと、第一の回動軸１３ａと略同軸な第二の回動軸１０ａと、を有し、第一の回動軸１３ａは、撮像装置本体の正面側に配設され、電池蓋回動軸嵌合穴２０と摺動関係にない円筒形状であって、円錐部１３ｅは、電池蓋回動軸嵌合穴２０の角部２０ａと当接する。【選択図】図１１
2017146315.tif 000002
【特許請求の範囲】
【請求項１】
撮像装置（１）本体から突出したグリップ（３）と、
前記撮像装置（１）と前記グリップ（３）に跨って配設された開閉自在の電池蓋（１０）と、
前記撮像装置（１）の底面に配設された底面カバー（４）と、
前記電池蓋（１０）の回転軸の一部を前記撮像装置（１）に固定するための回動軸押さえ部材（７）と、
前記回動軸押さえ部材（７）の先端部（７ａ）と前記底面カバー（４）とによって形成される電池蓋回動軸嵌合穴（２０）と、
前記電池蓋（１０）に対して進退可能な軸部材（１３）と、
前記軸部材（１３）上に形成される円錐部（１３ｅ）と、
前記軸部材（１３）上で、且つ前記円錐部（１３ｅ）よりも先端側に形成され、撮影光軸に（２ａ）と平行な、円筒状の第一の回動軸（１３ａ）と、
前記電池蓋（１０）に形成され、前記第一の回動軸（１３ａ）と同軸な第二の回動軸（１０ａ）と、
を有し、
前記第一の回動軸（１３ａ）は、前記撮像装置（１）本体の正面側に配設され、前記電池蓋回動軸嵌合穴（２０）と摺動関係にない円筒形状であって、前記円錐部（１３ｅ）は、前記電池蓋回動軸嵌合穴（２０）の角部（２０ａ）と当接していることを特徴とする撮像装置。
【請求項２】
前記電池蓋回動軸嵌合穴（２０）よりも撮影光軸（２ａ）側に、前記底面カバー（４）が第一の水平部（４０ｃ）、前記軸押さえ部材（７）が第二の水平部（７０ｃ）を有することを特徴とする請求項１に記載の撮像装置。   
【発明の詳細な説明】
【技術分野】
【０００１】
本発明は、駆動用の電池を筐体内に収納することが可能な撮像装置の電池蓋構造に関し、特に撮像装置に対する電池蓋の取り付け構造および保持構造に関する。
【背景技術】
【０００２】
従来、例えば筐体の内部に設けられた電池収納部の開口を塞ぐための電池蓋のように、使用者によって開閉操作が可能な蓋体を有する撮像装置がある。筐体に対して開閉可能な蓋体を有する撮像装置の中には、通常の開閉操作とは別に特別な操作によって筐体から蓋体を取り外すことが可能な構造の撮像装置がある。
【０００３】
例えば電池収納部に通常使用の電池よりも大型の外部電源装置を挿入することが可能な撮像装置では、電池蓋を開いて外部電源装置を電池収納部に装着した時に外部電源装置の一部が電池収納部から突出する。そのため、電池蓋と外部電源装置とが干渉を起こすといった問題が起こる。この干渉を避けるために、電池収納部に対する外部電源装置の装着時に電池蓋の取り外し操作により電池蓋を筐体から取り外せるような蓋体保持構造を有する撮像装置が知られている。
【０００４】
さらに、上記のように筐体から取り外しが可能な筐体を有する撮像装置としては次のものが提案されている（特許文献１参照）。特許文献１記載の撮像装置において、筐体には電池蓋が嵌まり込む開口部が設けられており、開口部内壁には少なくとも一対の穴部が形成されている。電池蓋の側面には開口部内壁の一対の穴部にそれぞれ回動可能に係合する突起部が形成されている。回動軸をなす突起部の一方が、使用者の操作により電池蓋内部に退避することが出来るため、係合の解除が可能となっている。
【先行技術文献】
【特許文献】
【０００５】
【特許文献１】特開２０１１−５５０６５号公報
【発明の概要】
【発明が解決しようとする課題】
【０００６】
デジタルカメラなどの携帯可能な撮像装置では、使用者による持ち運びを伴う事から、不用意に落下させてしまうことがある。
【０００７】
しかしながら、上記従来例で示したような取り外し可能な蓋体を有する撮像装置においては、回動軸をなす突起部の一方が、進退する方向には可動ではあるが、進退方向と直交する方向については、回動可能ではあるものの、固定されている。
【０００８】
以下、図１４を用いて説明する。
【０００９】
図１４は上記従来例に係る撮像装置の電池蓋と、その保持構成を示す図であり、（ａ）は、従来例に係る撮像装置１００の底面図、（ｂ）は、電池蓋１１０の外観視図、（ｃ）は（ａ）のＺ−Ｚ線に沿う部分断面図である。
【００１０】
図１４において、１３０は、進退可能な回動軸、４００は外装カバーとしての底面カバー、７００は、回動軸押さえ部材である。図１４（ｃ）に示すように、電池蓋１１０の回動軸１３０は、底面カバー４００と回動軸押さえ部材７００によって形成される穴部に収納および保持される。従って、落下衝撃等によって、回動軸１３０に対し、回動軸１３０が進退可能な方向と直交するせん断力が加わると、破損する可能性がある。これは、回動軸１３０が、進退可能な方向と直交する方向に対して、自由度が無く保持されている為である。
【００１１】
また、回動軸の破損を防止するために、回動軸を金属などによって形成することも可能ではあるが、コストアップとなってしまう。
【００１２】
そこで、本発明の目的は、落下等により衝撃が加わっても、電池蓋の回動軸の破損を防止することができる撮像装置の電池蓋構造及び撮像装置を提供することにある。
【課題を解決するための手段】
【００１３】
上記の目的を達成するために、本発明に係る撮像装置は、
撮像装置（１）本体から突出したグリップ（３）と、
前記撮像装置（１）と前記グリップ（３）に跨って配設された開閉自在の電池蓋（１０）と、
前記撮像装置（１）の底面に配設された底面カバー（４）と、
前記電池蓋（１０）の回転軸の一部を前記撮像装置（１）に固定するための回動軸押さえ部材（７）と、
前記回動軸押さえ部材（７）の先端部（７ａ）と前記底面カバー（４）とによって形成される電池蓋回動軸嵌合穴（２０）と、
前記電池蓋（１０）に対して進退可能な軸部材（１３）と、
前記軸部材（１３）上に形成される円錐部（１３ｅ）と、
前記軸部材（１３）上で、且つ前記円錐部（１３ｅ）よりも先端側に形成され、撮影光軸に（２ａ）と略平行な、円筒状の第一の回動軸（１３ａ）と、
前記電池蓋（１０）に形成され、前記第一の回動軸（１３ａ）と略同軸な第二の回動軸（１０ａ）と、
を有し、
前記第一の回動軸（１３ａ）は、前記撮像装置（１）本体の正面側に配設され、電池蓋回動軸嵌合穴（２０）と摺動関係にない円筒形状であって、前記円錐部（１３ｅ）は、前記電池蓋回動軸嵌合穴（２０）の角部（２０ａ）と当接していることを特徴とする。
【発明の効果】
【００１４】
本発明によれば、落下等により衝撃が加わった際に、電池蓋の回動軸の破損を防止することができる撮像装置を提供することができる。
【図面の簡単な説明】
【００１５】
【図１】（ａ）は本実施形態に係る撮像装置の正面図、（ｂ）は本実施形態に係る撮像装置の底面図
【図２】（ａ）は電池蓋が開いた状態における撮像装置の正面図、（ｂ）は電池蓋が開いた状態における撮像装置の底面図
【図３】（ａ）は電池蓋の外観視図、（ｂ）は電池蓋の内観視図
【図４】（ａ）は電池蓋カバーを外した状態の電池蓋の内観視図、（ｂ）は電池蓋の分解斜視図
【図５】電池蓋係止爪の動作の説明図
【図６】軸部材の動作の説明図
【図７】（ａ）は電池蓋を取り外した状態の撮像装置の底面図、（ｂ）は図７（ａ）に示すＤ−Ｄ線における部分断面図
【図８】軸押さえ部材の取付構造を示す分解斜視図
【図９】第一の回動軸の部分詳細図
【図１０】（ａ）はグリップの先端から落下した状態を示す図、（ｂ）は電池蓋にかかる力を模式的に示した図
【図１１】（ａ）は図１のＡ−Ａ線に沿う部分断面図、（ｂ）は第一の回動軸１３ａの位置変化を示す部分断面図
【図１２】（ａ）は実施例２に係る撮像装置の電池蓋を取り外した状態の底面図、（ｂ）は図１２（ａ）のＫ−Ｋ線に沿う部分断面図
【図１３】（ａ）は実施例２に係る撮像装置の底面図、（ｂ）は図１３（ａ）のＬ−Ｌ線に沿う部分断面図、（ｃ）は第一の回動軸１３ａの位置変化を示す部分断面図
【図１４】（ａ）は従来例に係る撮像装置の底面図、（ｂ）は従来例に係る撮像装置の電池蓋の外観視図、（ｃ）は図１４（ａ）のＺ−Ｚ線に沿う部分断面図
【発明を実施するための形態】
【００１６】
以下に、本発明の好ましい実施の形態を、添付の図面に基づいて詳細に説明する。
【００１７】
図１は本発明の実施形態にかかわる撮像装置の一例である一眼レフデジタルカメラの外観を示す図であり、（ａ）は正面図、（ｂ）は底面図である。
【００１８】
本発明の実施形態に係る撮像装置は、例えば、電源として電池を利用する一眼レフデジタルカメラ（以下、カメラ）１である。２はカメラ１に取り外し可能な交換レンズ、２ａは撮影光軸、３は使用者がカメラ１を把持するためのグリップ、４は外装カバーとしての底面カバーである。１０は、カメラ１に対して、開閉可能に取り付けられた、電池収納部を覆う電池蓋であり、回動軸である９を中心に回動可能である。図１に示す状態は、電池蓋１０が底面カバー４に対して係止された状態を示している。１１ａは、電池蓋１０の、カメラ１に対する係止を解除するための係止解除レバーであり、後述する。
【００１９】
図２は電池蓋１０が開いた状態を示す、撮像装置の外観図であり、（ａ）は正面図、（ｂ）は底面図である。
【００２０】
５は、カメラ１の電源としての電池、６は、電池５の飛出しを規制する電池係止爪であり、回動可能に保持されている。電池係止爪６を図２（ｂ）の上方向に回動させる（不図示）ことで、電池５に対する係止が解除され、カメラ１に対する電池５の挿脱が可能となる。図２に示すように、一眼レフカメラに特徴的なグリップ３は、その突出形状を利用し、電池収納部を形成している。したがって、電池５は、突出したグリップ３とカメラ１に跨って配置されるため、結果として、図１および図２に示すように、電池蓋１０もグリップ３とカメラ１に跨っており、回動軸９は、撮影光軸２ａと略平行の関係にある。
【００２１】
次に、電池蓋１０の詳細構造について、図３〜図６を用いて説明する。
【００２２】
図３（ａ）は電池蓋１０の外観視図であり、電池蓋１０がカメラ１に係止された状態を示す。図３（ｂ）は電池蓋１０を図２（ａ）の矢印Ｔ方向から見た、電池蓋１０の内観視図である。図４（ａ）は後述する電池蓋カバーを取り外した状態の、電池蓋１０の内観視図、図４（ｂ）は電池蓋１０の分解斜視図である。図５は電池蓋１０の、底面カバー４に対する係止が解除された状態を示す図、図６は電池蓋１０をカメラ１から取り外す際の状態を示す図である。
【００２３】
まず、電池蓋係止爪１１の取付構造および機能について説明する。
【００２４】
電池蓋係止爪１１は、電池蓋１０を底面カバー４に係止する部材であり、この電池蓋係止爪１１が底面カバー４の不図示の被係止部に係止されることによって、電池蓋１０が閉じた状態が保持される。この電池蓋係止爪１１には、バネ軸１１ｂが形成されている（図４）。
【００２５】
電池蓋係止爪１１は、バネ軸１１ｂに対し、係止バネ１２を図３（ｂ）の矢印Ｂ方向に挿入した状態で電池蓋１０に取り付けられ、係止バネ１２は、係止バネ収納溝１０ｂに、圧縮状態で収納される。係止バネ１２は圧縮バネであり、電池蓋係止爪１１の先端が電池蓋１０から突出するように、常に図３、図４の紙面上方向に付勢しており、底面カバー４に係止された、閉じ状態を保持する。
【００２６】
電池蓋１０の係止を解除する際は、図３（ａ）、図５（ａ）に示す、電池蓋係止爪１１上に形成された係止解除レバー１１ａを図５（ａ）の矢印Ｅ方向に操作する。係止解除レバー１１ａを操作し、底面カバー４に対して電池蓋係止爪１１の係止が解除された状態の電池蓋１０を図５（ａ）および（ｂ）に示す。
【００２７】
以上説明したように、電池蓋係止爪１１は電池蓋１０に対して一方向に移動可能に取り付けられる。なお、本実施例においては電池蓋係止爪１１を付勢するためにコイルバネを用いているが、その他の手段によって付勢しても良い。
【００２８】
次に、軸部材１３の取付構造および機能について説明する。
【００２９】
図３〜図６に示す軸部材１３は、電池蓋１０とは別体の部材であり、本実施例においては電池蓋１０の回動軸の片側を形成する、第一の回動軸１３ａを有する。この第一の回動軸１３ａは、電池蓋１０上に形成される第二の回動軸１０ａと略同軸である。なお、第一の回動軸１３ａの中心と、第二の回動軸１０ａの中心を結んだものが、回動軸９である。
【００３０】
軸部材１３には、バネ軸１３ｂが形成されており、軸部材１３は、バネ軸１３ｂに対し、軸付勢バネ１４を図４（ｂ）の矢印Ｃ方向に挿入した状態で、電池蓋１０に取り付けられる。具体的には、軸部材１３の嵌合部１３ｃが、電池蓋１０の嵌合穴１０ｃに挿通されると共に、バネ軸１３ｂに挿入された軸付勢バネ１４の固定端１４ｄが、電池蓋１０の固定端収納溝１０ｄに収納される。軸付勢バネ１４は、圧縮バネであり、軸部材１３を常に図４の紙面左方向に付勢している。
【００３１】
また、軸部材１３は、軸部材移動レバー１３ｄを有している。この軸部材移動レバー１３ｄを、軸付勢バネ１４の付勢力に抗して、図４の紙面右方向に操作すると、図６の鎖線で示すように、第一の回動軸１３ａが、電池蓋１０の嵌合穴１０ｃの中に退避する。すなわち、第一の回動軸１３ａが電池蓋１０に対して突出していない状態となるため、電池蓋１０をカメラ１から取り外すことが可能となる。なお、電池蓋１０の取り外しは、外部電源装置（不図示）などをカメラ１に装着する際に行うものである。
【００３２】
続いて、電池蓋カバー１５をビス１６ａ、１６ｂ、１６ｃで電池蓋１０に締結する。電縁蓋カバー１５には、穴部１５ａが形成されており、軸部材移動レバー１３ｄが挿通されることで、軸部材移動レバー１３ｄの操作が可能となる。
【実施例１】
【００３３】
以下、図７〜図１１を参照して、本発明の第１の実施形態について説明する。
【００３４】
図７（ａ）は電池蓋１０取り外し状態におけるカメラ１の底面図、図７（ｂ）は電池蓋１０の回動軸保持部の部分断面図、図８は底面カバー４に対する、回動軸押さえ部材７の取付構造を示す分解斜視図である。
【００３５】
図７（ｂ）に示す部分断面図は、図７（ａ）のＤ−Ｄ線に沿う断面図である。図７（ｂ）に示す、電池蓋回動軸嵌合穴２０は、電池蓋１０の第一の回動軸１３ａを嵌合させる穴である。この電池蓋回動軸嵌合穴２０は、反対側（カメラ背面側）にも同様に形成されており（不図示）、図３〜図６に示す、第二の回動軸１０ａが嵌合する。本実施例において、電池蓋回動軸嵌合穴２０は、底面カバー４に対してビス８ａ、８ｂによって締結される回動軸押さえ部材７と、底面カバー４と、によって形成されるが、底面カバー４のみで形成してもよい。このように、電池蓋１０はカメラ１に対して回動および開閉可能に取り付けられる。
【００３６】
図９は第一の回動軸１３ａの部分詳細図、図１０（ａ）はカメラ１が、グリップ３の先端から落下した状態を示す図、図１０（ｂ）はその際に電池蓋１０にかかる力を模式的に示した図である。図１１は図１のＡ−Ａ線に沿う部分断面図であり、図１１（ａ）は電池蓋１０がカメラ１に取り付けられている状態を、図１１（ｂ）はカメラ１がグリップ３の先端から落下した際の電池蓋１０、特に、第一の回動軸１３ａの位置変化を示す断面図である。
【００３７】
図９に示すように、第一の回動軸１３ａには、円錐部１３ｅが形成されている。カメラ１に電池蓋１０が取り付けられた状態においては、図１１（ａ）に示すように、電池蓋回動軸嵌合穴２０の角部２０ａに当接している。上述したように、軸部材１３は、軸付勢バネ１４によって、第一の回動軸１３ａが電池蓋１０から突出する方向に、常に付勢されている為、円錐部１３ｅは、常に角部２０ａに当接している。したがって、第一の回動軸１３ａと、電池蓋回動軸嵌合穴２０は、摺動し合う関係にはなく、隙間を有している。
【００３８】
なお、本実施例の説明においては、円錐部１３ｅの当接部を角部としているが、角部にＲや面取りが付加されていても良い。
【００３９】
ところで、デジタル一眼レフカメラなどの携帯機器は、使用者による持ち運びを伴う事から、不用意に落下させてしまうことがある。特に、デジタル一眼レフカメラの場合は、グリップ３内に電池５、カメラ１の正面側に交換レンズ２などの重量物が装着されることから、図１０（ａ）に示すような、カメラ１がやや前傾した状態での落下の可能性がある。
【００４０】
その際、カメラ１は突出したグリップ３の先端付近に、すなわち、図１０（ｂ）に示す矢印Ｐ方向から衝撃が加わるため、電池蓋１０のグリップ３先端側には、第二の回動軸１０ａを中心とする、時計回りの回転モーメントＭが発生する。この回転モーメントＭが発生するとき、第一の回動軸１３ａは、図１１（ａ）に示す矢印Ｇ方向（撮影光軸２ａに向かう方向）に移動しようとする。第一の回動軸１３ａが矢印Ｇ方向に移動すると、当接部である円錐部１３ｅは、図１１（ａ）の矢印ｆで示すような、角部２０ａからの反力ｆを受けることとなる。
【００４１】
このような状態において、本発明の第１の実施形態によれば、反力ｆを受ける円錐部１３ｅは傾斜面であるから、図１１（ａ）に示すように、反力ｆは、分力ｆｖとｆｈに分解される。前述したように、軸部材１３は進退可能であるので、分力ｆｖは、軸部材１３を、図１１（ｂ）の矢印Ｊ方向に移動させる力に変換される。同時に、円錐部１３ｅに分力ｆｈが付加されると、角部２０ａとの間に相対的な滑りが生じるため、図１１（ｂ）に示すように、軸部材１３は右方向（図１１（ａ）の矢印Ｇ方向）に移動する。
【００４２】
第一の回動軸１３ａと電池蓋回動軸嵌合穴２０は隙間を有する関係の為、隙間の分だけ移動可能であり、第一の回動軸１３ａにかかる、破断方向（分力ｆｈの方向）への負荷を軽減できる。本実施例においては、軸部材１３の材質はポリカーボネートなどの樹脂としているが、説明したように、第一の回動軸１３ａに掛かる応力ｆを局所集中させることなく、分散させることが可能であるため、第一の回動軸１３ａの破損を回避できる。
【００４３】
また、電池蓋１０は底面カバー４に対して、第二の回動軸１０ａを中心に、相対的に回転することになるが、第一の回動軸１３ａが電池蓋回動軸嵌合穴２０に引っかかるため、落下衝撃が加わった際に、カメラ１から電池蓋１０が外れてしまうことも抑制できる。なお、本実施例においては、カメラ正面側に、進退可能な軸部材１３を配置しているが、少なくともカメラ正面側の回動軸が進退可能となっていればよく、カメラ背面側の回動軸（第二の回動軸１０ａ）も電池蓋１０とは別体に、且つ進退可能に構成してもよい。
【００４４】
以上、説明したように、本発明の第１の実施例によれば、使用者が不用意にカメラを落下させてしまった際に、電池蓋の回動軸の破損を回避すると共に、電池蓋の脱落の防止も可能となる。
【実施例２】
【００４５】
以下、図１２、図１３を参照して、本発明の第２の実施形態について説明する。実施例１と共通する部材については、同一の符号を付す。
【００４６】
図１２（ａ）は本発明の第２の実施形態に係る撮像装置の、電池蓋１０取り外し状態における底面図、図１２（ｂ）は図１２（ａ）のＫ−Ｋ線に沿う部分断面図である。図１３（ａ）は本発明の第２の実施形態に係る撮像装置の底面図、図１３（ｂ）はＬ−Ｌ線に沿う部分断面図、図１３（ｃ）は第一の回動軸１３ａ周辺の部分断面図である。
【００４７】
４０は本発明の第２の実施形態に係る底面カバー、７０は回動軸押さえ部材である。底面カバーに対する回動軸押さえ部材の取付構造は、実施例１と同様であるため、取付構造の説明は省略する。
【００４８】
図１２（ｂ）、図１３（ｂ）、（ｃ）に示すように、底面カバー４０、回動軸押さえ部材７０はそれぞれ、第一の回動軸１３ａよりも光軸２ａ側に、第一の水平部４０ｃ、第二の水平部７０ｃを形成している。対向する、第一の水平部４０ｃ、第二の水平部７０ｃによって形成される空間５０は、第一の回動軸１３ａの逃げ部である。
【００４９】
実施例１にて図１０、図１１を用いて説明したように、不用意にカメラ１を落下させ、矢印Ｐ方向から衝撃が加わった際には、電池蓋１０は、第二の回動軸１０ａを中心に時計回りに回転しようとする。特に、望遠レンズ等の重量のあるレンズを装着していた場合や、高いところから落下させてしまった場合などは、矢印Ｐ方向からの衝撃はさらに大きなものとなる。
【００５０】
そのような場合であっても、本発明の第２の実施形態によれば、図１３（ｃ）に示すように、第一の回動軸１３ａは図中矢印Ｑ方向に移動し、逃げ部５０に納まるため、第一の回動軸１３ａにせん断力が働かず、破損を回避することが出来る。さらに、前述したように、軸部材１３は進退可能であると共に、電池蓋１０に対して突出する方向に常に付勢されている為、図１１（ｃ）の破線で示す位置に移動したとしても、元の位置に戻る。
【００５１】
以上、本発明の好ましい実施形態について説明したが、本発明はこれらの実施形態に限定されず、その要旨の範囲内で種々の変形及び変更が可能である。
【符号の説明】
【００５２】
１  カメラ、２ａ  撮影光軸、３  グリップ、４  底面カバー、５  電池、
７  回動軸押さえ部材、７ａ  先端部、１０  電池蓋１０、１０ａ  第二の回動軸、
１３軸  部材、１３ａ  第一の回動軸、１３ｅ  円錐部、２０  電池蓋回動軸嵌合穴、
２０ａ  角部
【図１】
2017146315.tif 000003
【図２】
2017146315.tif 000004
【図３】
2017146315.tif 000005
【図４】
2017146315.tif 000006
【図５】
2017146315.tif 000007
【図６】
2017146315.tif 000008
【図７】
2017146315.tif 000009
【図８】
2017146315.tif 000010
【図９】
2017146315.tif 000011
【図１０】
2017146315.tif 000012
【図１１】
2017146315.tif 000013
【図１２】
2017146315.tif 000014
【図１３】
2017146315.tif 000015
【図１４】
2017146315.tif 000016